(57)【要約】【課題】スリーブとカバーとの溶接状態を改善することができるスピンドルモーターを提供する。【解決手段】本発明のスピンドルモーターは、シャフト１３０と、シャフト１３０を回転可能に支持することができるように中空の円筒形状に形成されたスリーブ１２０と、スリーブ１２０の下部と相互平行に配列され、スリーブ１２０の開放下部を閉鎖するカバー１７０と、を備え、カバー１７０の外周面とスリーブ１２０の外周面との接合部位を水平突合せ溶接方式に固定するものである。【選択図】図２
2013135607.tif 000002
【特許請求の範囲】
【請求項１】
シャフトと、
前記シャフトを回転可能に支持することができるように中空の円筒形状に形成されたスリーブと、
前記スリーブの下部と相互平行に配列され、前記スリーブの開放下部を閉鎖するカバーと、を備え、
前記カバーの外周面と前記スリーブの外周面との接合部位を水平突合せ溶接方式に固定するスピンドルモーター。
【請求項２】
前記カバーの周縁部は、前記スリーブの下部の外周面形状と一致する請求項１に記載のスピンドルモーター。
【請求項３】
前記水平突合せ溶接は、軸方向に配列された前記スリーブとカバーとの接合部位に沿って環形状の溶接部を形成する請求項１に記載のスピンドルモーター。
【請求項４】
前記カバーは、扁平面と、前記扁平面の外周縁の近傍で屈曲されているハネ部と、を備える請求項１に記載のスピンドルモーター。
【発明の詳細な説明】
【技術分野】
【０００１】
本発明は、スピンドルモーターに関する。
【背景技術】
【０００２】
通常、スピンドルモーター（ｓｐｉｎｄｌｅ  ｍｏｔｏｒ）は、ハードディスクドライブ（ＨＤＤ）と光ディクスドライブ（ＯＤＤ）などのように高速回転を要求する内部に装着され、情報を記録及び格納しているＨＤＤのディスクを回転させる。
【０００３】
即ち、スピンドルモーターは、ヘッドを手段とし、ディスクに書き込まれたデータを読み取ることができるようにディスクを回転する装置であり、コアに電流を印加するようになると、磁場が発生するようになる。そして、この磁場は、ローターに備えられたマグネットに磁気力を提供し、その後、この磁気力を介してローターを回転させる作動原理によりモーターの回転駆動を実施するようになる。
【０００４】
このようなスピンドルモーターの一例は、特許文献１に掲載されている。
【０００５】
前記のような原理により駆動する従来技術によるスピンドルモーターは、ステーター、シャフト、スリーブ、及びローターで構成され、スリーブは、シャフトを回転可能に支持することができるように中空の円筒形状に形成され、シャフトは、スリーブの中空内部で回転可能に挿入される。
【０００６】
特許文献１に記載されているように、スリーブは、一般的にカバーを媒介とし、スリーブの下端を閉鎖し、カバーは、既に広く知られている溶接、コーキング、ボンディングなどのような多様な方式によりスリーブの下端に固定される。
【０００７】
スリーブとカバーとの結合のために、スリーブは、スリーブの下部に安着溝部を形成する。安着溝部は、スリーブの下部に環形状の段差を形成し、この段差上にカバーの外周部を位置固定させる。
【０００８】
カバーは、スリーブの下部に段差形成された安着溝部に装着されることができるように外周縁に屈曲されているハネ部を備える。
【０００９】
スリーブの安着溝部上に安着したカバーは、多様な方式、例えば、ボンディング接合方式、レーザー溶接方式などにより相互固定されることができ、最近、ボンディング接合方式より、突合せレーザー溶接方式を採択しているのが現実である。
【００１０】
突合せレーザー溶接は、安着溝部に安着したカバーの断面とスリーブの断面を突合せてこれを接合することであり、溶接時、スリーブが内径方向に減る一方、カバーが外径方向に増える変形が発生する。
【００１１】
このような変形は、スリーブの構造形状を変更することで、スリーブ内でシャフトの組み込み状態を不良にする一方、モーターの回転において予想できない特性不良のような結果を招くことにもなる。このような問題点を解決することができる他の方案が研究されなければならない。
【先行技術文献】
【特許文献】
【００１２】
【特許文献１】韓国登録特許第１０−１０３８７８７号公報
【発明の概要】
【発明が解決しようとする課題】
【００１３】
本発明は、前述された短所を解消するためのものであり、スリーブとカバーとの溶接状態を改善することができるスピンドルモーターを提供することである。
【課題を解決するための手段】
【００１４】
本発明は、従来技術のように、スリーブとカバーとの溶接時、垂直方向に溶接するものではなく、スリーブとカバーとを水平方向に溶接可能にする。
【００１５】
そのために、本発明は、シャフトと、シャフトを回転可能に支持することができるように中空の円筒形状に形成されたスリーブと、スリーブの開放下部を閉鎖するカバーと、を備え、このカバーは、スリーブの下部と相互平行に配列されて位置固定されるスピンドルモーターに関する。
【００１６】
本発明は、スリーブの下部を確実に覆いかぶせることができるようにカバーをスリーブの下部形状と対応する大きさを有するようにする。
【００１７】
より好ましくは、本発明は、スリーブの下部の外周面とカバーの周縁部を一致するように配列する。その後、本発明は、カバーの上部の外周面と前記スリーブの下部の外周面との間の接合部位を溶接、特に、水平突合せ溶接方式により接合することを特徴とする。
【００１８】
本発明によるスピンドルモーターは、前述されたように、縦（或いは、軸）方向に配列されたスリーブとカバーとを水平方向に溶接し、溶接時、水平方向に加圧し、各構成部材の変形を最小化する。
【００１９】
本発明で用いるカバーは、扁平面と、前記扁平面の外周縁の近傍で屈曲されているハネ部と、を備え、この扁平面とハネ部との間の高さは、水平突合せ溶接により発生する軸方向変形を収容することができる空間を確保する。
【発明の効果】
【００２０】
以上、本発明の説明によると、本発明は、縦方向に向かい合って配列されたスリーブとカバーとを水平突合せ溶接を介してこれらを結合することができる。
【００２１】
本発明は、水平にスリーブとカバーを配列するために、従来技術のようにスリーブに安着溝部を別に備える必要がないため、構造的に単純化させることができる。
【００２２】
また、本発明は、水平突合せ溶接を介して円周方向の変形を最小化させるため、モーターの回転特性に影響を及ぼさないようになる。
【図面の簡単な説明】
【００２３】
【図１】スピンドルモーターの概略的な断面図である。
【図２】図１に示すスピンドルモーターの一部を拡大した拡大図である。
【発明を実施するための形態】
【００２４】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２５】
以下、添付図面を参照して、本発明の好ましい実施例を詳細に説明する。
【００２６】
図１は、本発明の実施例によるスピンドルモーターの概略的な断面図である。
【００２７】
図１を参照すると、本発明によるスピンドルモーター１００は、ベース１１０、スリーブ１２０、シャフト１３０、ローター１４０、及びステーター１５０からなる。
【００２８】
ベース１１０は、ハードディスクドライブ（図示せず）などの装置に設置されるものであり、モーターを構成する部材をその内部に収容することができる空間を提供する。図示されたように、ベース１１０は、その中央に円筒形状の支持部１１１を形成しており、後述されるスリーブ１２０が支持部１１１の中央に形成された中空部に挿入されて結合される。
【００２９】
また、ベース１１０は、磁性体からなるプーリングプレート（ｐｕｌｌｉｎｇ  ｐｌａｔｅ）１１２をその上部面に付着し、より好ましく、プーリングプレート１１２は、後述されるマグネット１４５と隣接した部分に配置され、プーリングプレート１１２とマグネット１４５との間には磁気力による引力が作用するようになる。
【００３０】
スリーブ１２０は、前述されたように、ベース１１０の支持部１１１内に挿通されて組み込まれることができる。また、スリーブ１２０は、全体的に円筒形状からなり、その内部でシャフト１３０を回転可能に支持することができるようにする。
【００３１】
スリーブ１２０は、シャフト１３０から所定の間隙に離隔されている内周面とスラストプレート１６０と相接しているベアリング面に流体動圧ベアリングを形成する。流体動圧ベアリングモーターは、ベアリング部品の下部、具体的に、スリーブ１２０とシャフト１３０との分離を防止するカバー１７０で閉鎖される。
【００３２】
カバー１７０は、スリーブ１２０と水平突合せ溶接方式に結合され、これに対する詳細な説明は、図２を参照して説明する。
【００３３】
シャフト１３０は、ハブ１４１を軸支持し、スリーブ１２０内に挿入されてスリーブ１２０により回転可能に支持される一方、その上側部には、スラストプレート１６０を備える。
【００３４】
即ち、シャフト１３０は、スリーブ１２０の内周面との接触摩擦力を減らすために、所定の間隔に離隔されて非接触状態を維持することが好ましい。また、スリーブ１２０とシャフト１３０の間隙には、流体、例えば、オイルを充填することができ、オイルを媒介とし、シャフト１３０の回転時におけるスリーブ１２０との摩擦を減らすことができる。
【００３５】
また、カップ形状のローター１４０は、ハブ１４１と、マグネット１４５を装着するスカート部１４２と、を備え、ハブ１４１の回転中心と一致する垂直軸線上にシャフト１３０を配置する。
【００３６】
ローター１４０は、ハブ１４１の回転のために電場を形成し、ステーター１５０に対して回転可能に備えられる回転構造物であり、コア１５１と一定間隔に互いに対向して配置されるリング形状のマグネット１４５をスカート部１４２の内周面に備え、磁場を形成するマグネット１４５は、コイル１５２で形成される電場との間で電磁気力を発生させる。この電磁気力を介してスピンドルモーターのローター１４０が回転する。ハブ１４１は、信号記録再生を目的とするディスク（ｄｉｓｋ）（図示せず）を回転可能にする。
【００３７】
ステーター１５０は、ベース１１０の上部に固定配置されるリング形状のコア１５１と、このコア１５１に巻線されて電場を発生するコイル１５２と、を備える固定構造物である。
【００３８】
図２は、図１に示すスピンドルモーターの一部を拡大して示す図面である。
【００３９】
本発明は、水平突合せ溶接方式を介してスリーブ１２０とカバー１７０とを結合することを特徴とする。
【００４０】
即ち、本発明は、スリーブ１２０の下部で向かい合って配列されたスリーブ１２０とカバー１７０の溶接部（Ｗ）を水平方向に溶接する。溶接部（Ｗ）は、カバー１７０の外周面、具体的に、カバーの上部の周縁部とスリーブの下部の外周面とが相接している周縁部を円周方向に形成して環形状を有する。
【００４１】
参考までに、カバー１７０は、スリーブ１２０の下部を十分に収容することができるようにスリーブ１２０の下部と対応するように形成することができる。
【００４２】
しかし、向かい合って配列された２個の構成部材、スリーブ１２０とカバー１７０は、水平突合せ溶接を容易にすることができるように、相互同じ大きさを有するようにする。例えば、スリーブ１２０の下部の外径は、カバー１７０の周縁部と同じにし、スリーブ１２０の外周面とカバー１７０の外周面を一直線上に配列させることで、溶接部（Ｗ）の溶接品質を向上させる。
【００４３】
また、選択可能に、カバー１７０は、その中心に扁平面を形成し、その外周縁の近傍で屈曲されているハネ部１７１を備え、全般的にカップ形状を形成している。ここで、カバーのハネ部１７１は、外周縁に備えられているため、カバーの周縁部と記述されることもできる。
【００４４】
水平突合せ溶接は、前述されたように、スリーブ１２０とカバー１７０とを水平方向に溶接することであり、抵抗熱を媒介とし、スリーブの下端の周縁部とカバーの上端の周縁部を強固に結合し、エネルギーによる変形を軸方向に誘導して、円周方向への変形を最小化させることができる。
【００４５】
カバー１７０は、ハネ部１７１を介して軸方向に所定の空間を確保しているため、水平突合せ溶接による軸方向変形について、余地がある。
【００４６】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００４７】
本発明の単純な変形乃至変更はいずれも本発明の領域に属するものであり、本発明の具体的な保護範囲は添付の特許請求の範囲により明確になるであろう。
【産業上の利用可能性】
【００４８】
本発明は、スピンドルモーターに適用可能である。
【符号の説明】
【００４９】
１００  スピンドルモーター
１１０  ベース
１１１  支持部
１１２  プーリングプレート
１２０  スリーブ
１３０  シャフト
１４０  ローター
１４１  ハブ
１４２  スカート部
１４５  マグネット
１５０  ステーター
１５１  コア
１５２  コイル
１６０  スラストプレート
１７０  カバー
１７１  ハネ部
【図１】
2013135607.tif 000003
【図２】
2013135607.tif 000004